(57)【要約】【課題】断熱性能に優れ、保管、流通時等、断熱パネルの表裏両面に温度差のない場合においても、経時変化等で反りや変形等の発生することのない寸法安定性に優れた断熱パネルを提供することである。【解決手段】枠体５とこの枠体５をその上下から挟着する一対の表面材２１、２２とで閉じられた空間を形成し、この空間の厚さ方向の略中央位置に真空断熱材１を上記表面材２１、２２と略平行に配設し、上記真空断熱材１と各表面材２１、２２との間に形成された空間Ｓ１、Ｓ２に発泡樹脂材６１、６２が充填されてなる断熱パネルにおいて、少なくとも一方の表面材２２の裏面に間隔をおいて形成された複数個の突出支持部４で上記真空断熱材１を支持したことを特徴とする断熱パネルＡ。【選択図】図２
2013217093.tif 000002
【特許請求の範囲】
【請求項１】
枠体とこの枠体をその上下から挟着する一対の表面材とで閉じられた空間を形成し、この空間の厚さ方向の略中央位置に真空断熱材を上記表面材と略平行に配設し、上記真空断熱材と各表面材との間に形成された空間に発泡樹脂材が充填されてなる断熱パネルにおいて、少なくとも一方の表面材の裏面に間隔をおいて形成された複数個の突出支持部で上記真空断熱材を支持したことを特徴とする断熱パネル。
【請求項２】
枠体とこの枠体をその上下から挟着する一対の表面材とで閉じられた空間を形成し、この空間の厚さ方向の略中央位置に真空断熱材を上記表面材と略平行に配設し、上記真空断熱材と各表面材との間に形成された空間に発泡樹脂材が充填されてなる断熱パネルにおいて、上記一対の表面材のそれぞれの裏面に間隔をおいて複数個の突出支持部を形成し、該上下に形成されたそれぞれの突出支持部で上記真空断熱材を挟持したことを特徴とする断熱パネル。
【発明の詳細な説明】
【技術分野】
【０００１】
本願発明は断熱パネルに関する。さらに詳しくは、断熱材として真空断熱材を用い、この真空断熱材を枠体内に配設するとともに、該枠体を一対の表面材で挟着してなる断熱パネルに関するものである。
【背景技術】
【０００２】
従来、戸建住宅やマンション等の集合住宅の建物の外装や内装に、上下縦枠と左右横枠とからなる枠体の表面側に表面材を、裏面側に裏面材を貼着あるいは固着してなる断熱パネルが使用され、通常、上記表面材と裏面材との間には発泡ウレタン、あるいはグラスウール、ロックウール等の断熱材が充填されている。
【０００３】
近年、上記断熱材とし、高断熱性、取扱い性、地球環境への負荷等の観点から、内部が高真空に保たれた真空断熱材を断熱材として用いることが普及している。上記真空断熱材としては、例えば、グラスウールやグラスウールをバインダで固めたものを芯材とし、この芯材をガスバリア性のフィルムで覆って真空引きし、内部を高真空に保ったものが知られている。
【０００４】
このとき、上記ガスバリア性フィルムの表面に微小な傷が付いてもスローリークによって真空度が低下するため、フィルム表面の損傷を防止し、かつ断熱性をさらに高める見地から、通常、上記ガスバリア性フィルムに他の断熱材、例えば、硬質発泡ウレタン樹脂発砲体を複合して用いることが行われている。
【０００５】
例えば、本願図４は、枠体５に真空断熱材７を配設した公知の断熱パネルＣを示す一部断面説明図である。本願図４に示すように、上記真空断熱材７の裏面側と側面部とには発泡ウレタン等の公知の断熱材８が設置されており、真空断熱材７は合成樹脂のガスバリア性フィルム（図示せず）で密封されている。その全体は表面材９１と裏面材９２とによって保護されている。
【０００６】
このようにすることによって、真空断熱材７と断熱材８とを複合させることによって優れた断熱効果を得ることができる。
【０００７】
しかしながら、上記のように構成された公知の断熱パネルＣは、真空断熱材７を覆う表面材９１側と、硬質ウレタン樹脂発泡体等の公知の断熱材８を覆う裏面材９２側とで構成されているため、即ち、その厚さ方向の断熱材層の構成が異なるため、断熱パネルＣの断面厚さ方向の中心水平面に対して構造的に非対称となり、在庫時の吸湿、温度変化等の要因によって断熱パネルＣに反りが発生するという問題がある。
【０００８】
また、上記断熱パネルＣを床材として用いた場合等、表面材９１側と裏面材９２側とに温度差がある場合には、反り上がりや床材どうしの突き上げ現象が顕著に現れるという問題もある。
【０００９】
一方、特開２００９−１６２０３８号公報には、方形に組まれた木枠と、当該木枠に収められた真空断熱板と、当該真空断熱板の両面を被覆する発泡樹脂製の断熱材とからなる建築用断熱パネルが開示されている。
【００１０】
すなわち、特開２００９−１６２０３８号公報の図６（ａ）、（ｂ）に示されているように、上記建築用断熱パネルは方形に組まれた木枠に真空断熱板を収容し、かつ発泡樹脂
成形体からなる支持材を木枠の内縁に沿わせて真空断熱板の両面側に配置し、成型機のプレス板で挟み付け、真空断熱板の両面側に各々形成された空間部に対し、上記支持材と同質の原料樹脂を充填して同時に発泡させて製造するとの記載がある。
【００１１】
そして、上記特開２００９−１６２０３８号公報の発明にかかる建築用断熱パネルは、木枠に真空断熱板を隙間なく収め、かつその両面側から角材状の支持材によって支持した状態において、真空断熱板の両面側に充填した原料樹脂を同時に発泡させることにより、支持材と一体化された均一な厚さの断熱材を形成するため、熱に対する遮蔽効果が高く、より一層断熱性能に優れた断熱パネルを製造することができる、とその効果が述べられている。
【先行技術文献】
【特許文献】
【００１２】
【特許文献１】特開２００９−１６２０３８号公報
【発明の概要】
【発明が解決しようとする課題】
【００１３】
しかしながら、上記特許文献１の図６（ｂ）に示されているように、上記建築用断熱パネルは、真空断熱板をその両面側から角材状の支持材によって支持して、真空断熱板の両面側に原料樹脂を充填し発泡させるため、製造後、吸湿や材料の経時変化等によって角材状の長尺の支持材に反りや捻れ等が発生し、製品の建築用断熱パネルそのものにも変形が生じるという問題がある。
【００１４】
本願発明はこのような状況に鑑みてなされたものであり、その目的は、上記課題を解決して、例えば、床材として使用したとき、優れた断熱性能を有するとともに、床面の暖房時のみならず、保管、流通時等、上記断熱パネルの表裏両面に温度差が生じる場合においても、反りや変形等の発生することが少ない寸法安定性に優れた断熱パネルを提供することである。
【課題を解決するための手段】
【００１５】
上記課題を解決するために、本願請求項１に記載の第１発明にかかる断熱パネルは、枠体とこの枠体をその上下から挟着する一対の表面材とで閉じられた空間を形成し、この空間の厚さ方向の略中央位置に真空断熱材を上記表面材と略平行に配設し、上記真空断熱材と各表面材との間に形成された空間に発泡樹脂材が充填されてなる断熱パネルにおいて、少なくとも一方の表面材の裏面に間隔をおいて形成された複数個の突出支持部で上記真空断熱材を支持したことを特徴とする。
【００１６】
本願請求項２に記載の第２発明にかかる断熱パネルは、枠体とこの枠体をその上下から挟着する一対の表面材とで閉じられた空間を形成し、この空間の厚さ方向の略中央位置に真空断熱材を上記表面材と略平行に配設し、上記真空断熱材と各表面材との間に形成された空間に発泡樹脂材が充填されてなる断熱パネルにおいて、上記一対の表面材のそれぞれの裏面に複数個の突出支持部を間隔をおいて形成し、該上下に形成されたそれぞれの突出支持部で上記真空断熱材を挟持して支持したことを特徴とする。
【００１７】
上記した本願第１、第２発明にかかる断熱パネルを、例えば、住宅の断熱建材として内装に用いる場合、上記表面材としては、合板、化粧合板、ＭＤＦ等の木質系材料、石膏ボード、火山性ガラス質複層板等の無機質系材料等の種々の材料を用いることができる。
【００１８】
特に上記表面材としては、断熱性、耐火性等の観点から、例えば、石膏ボード、火山性ガラス質複層板等の無機質系材料等のボード体が、より好ましく用いられる。
【００１９】
上記枠体としては、通常、合板、化粧合板、ＭＤＦ等の木質系材料からなる枠材を上下縦枠、左右横枠としてフレーム構造としたものが用いられる。あるいは、上下縦枠と左右横枠とを一体的に形成してフレーム構造としてもよい。
【発明の効果】
【００２０】
本願請求項１記載の発明にかかる断熱パネルは、枠体とこの枠体を挟着した一対の表面材とで閉じられた空間を形成し、この空間の厚さ方向の略中央位置に真空断熱材を上記表面材と略平行に配設してなり、少なくとも一方の表面材の裏面に間隔をおいて形成された複数個の突出支持部で上記真空断熱材を支持し、上記真空断熱材上方の空間に発泡樹脂材を充填、硬化させた後、ついで上下逆にして他方の空間に発泡樹脂材を充填、硬化させて形成される。
【００２１】
そのため、真空断熱材上方の空間に充填された発泡樹脂材と真空断熱材下方の空間に充填された発泡樹脂材とが優れた断熱性能を発揮するとともに、断熱パネル全体の断面厚さ方向の中心水平面に対して略面対称に構成されているため、保管、流通時等、断熱パネルの表裏両面に温度差のない場合においても、吸湿や、経時変化等で反りや変形等が発生することのない寸法安定性に優れた断熱パネルを得ることができる。
【００２２】
更に、突出支持部は間隔をおいて形成されているため、該突出支持部が表面材裏面に棒状に連続して形成されている場合に比較して、該突出支持部自体の熱による膨張伸縮が該表面材に及ぼす影響が減殺され、従って、断熱パネル全体の反りを効果的に防止できる。
【００２３】
本願請求項２記載の発明にかかる断熱パネルは、枠体とこの枠体を挟着した一対の表面材とで閉じられた空間を形成し、この空間の厚さ方向の略中央位置に真空断熱材を上記表面材と略平行に配設してなり、上記一対の表面材のそれぞれの裏面に間隔をおいて複数個の突出支持部を形成し、該上下に形成されたそれぞれの突出支持部で上記真空断熱材を挟持して支持して、上記空間に発泡樹脂材を一操作で注入して形成される。
【００２４】
そのため、硬化反応終了後、第１表面材と第２表面材と枠体で囲まれた空間に発泡樹脂材が均質に充填されるため、優れた断熱性能を発揮するとともに、断熱パネル全体の断面厚さ方向の中心平面に対して略完全に面対称に構成されるため、保管、流通時等、上記断熱パネルの表裏両面に温度差が生じた場合、吸湿や、経時変化等が生じた場合でも変形等の発生することの少ない寸法安定性に優れた断熱パネルを得ることができる。
【００２５】
更に、突出支持部は間隔をおいて形成されているため、上記同様の理由により、断熱パネル全体の反りを効果的に防止できる。
【００２６】
又、上下に形成されたそれぞれの突出支持部で上記真空断熱材を挟持しているから、該真空断熱材の設置位置が安定して維持され、反り防止に役立つと共に、該真空断熱材の上下方向の空間への発泡樹脂材の充填作業を一つの作業で同時に安定的に行うことができる。
【図面の簡単な説明】
【００２７】
【図１】本願第１発明にかかる断熱パネルの主要な構成要素を分解して示す斜視説明図である。
【図２】（ａ）本願第１発明にかかる突出支持部で支持された真空断熱材が断熱パネルの厚さ方向の略中央位置に配設された状態を示す断面図である。（ｂ）上記（ａ）において上方に形成された空間に発泡樹脂材を充填した状態を示す断面説明図である。（ｃ）上記（ｂ）に図示されたパネルを上下反転した後にその上側に位置した空間に発泡樹脂材を充填したときの本願第１発明にかかる断熱パネルを示す断面図である。
【図３】（ａ）本願第２発明にかかる断熱パネルであって真空断熱材が断熱パネルの厚さ方向の略中央位置に配設され、該真空断熱材が各表面材裏面の上下から形成された突出支持部で挟持された状態を示す断面図である。（ｂ）本願第２発明にかかる断熱パネルであって真空断熱材の上下に位置する空間に発泡樹脂材を充填した状態を示す断面図である。
【図４】枠体に真空断熱体を埋設した公知の断熱パネルを示す一部断面説明図である。
【発明を実施するための形態】
【００２８】
以下、本願発明にかかる断熱パネルについて、図面を参照して詳細に説明する。図１は、本願第１発明にかかる断熱パネルの主要な構成要素を分解して示す斜視説明図である。
【００２９】
図示するように、上記断熱パネルは、枠体５と、この枠体５の表面側に取着される第１の表面材２１と枠体５の裏面側に取着される第２の表面材２２と真空断熱材１とを主構成要素としてなり、上記第１の表面材２１と第２の表面材２２からなる一対の表面材２１、２２は、上記枠体５を挟着して閉じられた空間を形成する。
【００３０】
図１に示すように、上記第２の表面材２２の裏面には、側面視略Ｌ字形の突出支持部４が所定の間隔で複数個設けられ、上記突出支持部４は第２の表面材２２の裏面に固着されて上記真空断熱材１を支持する。このとき、上記突出支持部４の真空断熱材支持部４１の厚さはｔとされている。
【００３１】
このようにして、上記閉じられた空間の内部で、この空間の厚さ方向の略中央位置に真空断熱材１が上記表面材２１、２２と略平行に配設される。ここで、符号３は枠体５を仕切る仕切り板３を示し、仕切り板３としての役割を果たすとともに、補強板としても機能する。
【００３２】
図２（ａ）、（ｂ）、（ｃ）は、本願第１発明にかかる断熱パネルＡとその製造方法の実施形態を概略的に示す断面説明図であり、枠体５を挟着する下方の第２の表面材２２の裏面には複数個の突出支持部４が形成されている。このとき、図示するように、上記真空断熱材１は、上記真空断熱材支持部４１の厚さｔ分浮いた状態で支持され、真空断熱材１と第２の表面材２２の裏面側との間には厚さｔの隙間が形成される。
【００３３】
図２（ａ）に示すように、本実施形態においては、真空断熱材１の下方に第２の表面材２２の裏面と枠体５とで囲まれた下部空間Ｓ２が形成され、一方、真空断熱材１の上方には第１の表面材２１の裏面と枠体５とで囲まれた上部空間Ｓ１が形成される。
【００３４】
図２（ｂ）は、上記図２（ａ）において示した上部空間Ｓ１に、発泡樹脂材６１を充填した状態を示す断面説明図である。すなわち、図示しない注入孔から、例えば硬質ウレタン樹脂材料を注入し、炭酸ガス発泡させる。炭酸ガスの発泡が止み、硬化反応終了後、上部空間Ｓ１は発泡樹脂材６１で充填される。ついで、第１の表面材２１と第２の表面材２２との上下方向位置が逆になるよう全体を反転する。
【００３５】
このとき、上記上部空間Ｓ１に充填された発泡樹脂材６１は、硬質ウレタン樹脂などのある程度の剛性を有する材料であるため、上下逆に反転してもしっかりと真空断熱材１を下方からしっかりと支持する。この状態で上方に位置することになった下部空間Ｓ２に、図示しない注入孔から、例えば、硬質ウレタン樹脂材料を注入し、上記と同様にして下部空間Ｓ２が発泡樹脂材６２で充填される。このようにして、簡単に真空断熱材１の上面側と下面側とに発泡樹脂材６１、６２からなる断熱層を設けることができる。
【００３６】
図２（ｃ）は、上記のようにして形成された本願第１発明にかかる断熱パネルＡを示す断面図である。図２（ｃ）に示すように、上記断熱パネルＡは、その厚さ方向の略中心に位置する水平面（図２において点線で示す水平面）に対して略面対称に発泡樹脂材６１と発泡樹脂材６２とが配設され、発泡樹脂材６１、６２を含む断熱パネルＡ全体の断面厚さ方向も略面対称に構成される。
【００３７】
このようにすることによって、上記断熱パネルＡは、真空断熱材１およびその上面側と下面側に配設された発泡樹脂材６１、６２が優れた断熱性能を発揮するとともに、断熱パネルＡ全体の断面厚さ方向も略面対称に構成されているため、保管、流通時等、上記断熱パネルＡの表裏両面に温度差のない場合においても、経時変化等で反りや変形等の発生を抑制できる寸法安定性に優れた断熱パネルＡを得ることができる。
【００３８】
図３（ａ）、（ｂ）は、上記第１の表面材２１の裏面と第２の表面材２２の裏面とのそれぞれに、所定の間隔で側面視略Ｌ字形の突出支持部４が複数個設けられた本願第２発明にかかる断熱パネルＢとその製造方法の実施形態を概略的に示す断面説明図である。
【００３９】
図３（ａ）に示すように、上記真空断熱材１は厚さｔを有する真空断熱材支持部４１で上下方向から挟持される。このようにして一対の突出支持部４、４で挟持された真空断熱材１は、本願発明の断熱パネルの厚さ方向の略中央位置に上記表面材２１、２２と略平行に配設される。
【００４０】
上記のように配設された真空断熱材１の上方と下方にあって、第１の表面材２１と第２の表面材２２と枠体５で囲まれた空間Ｓ３に、図示しない注入孔から、例えば硬質ウレタン樹脂材料を一操作で注入し、炭酸ガス発泡させる。炭酸ガスの発泡が止み、硬化反応終了後、図３（ｂ）に示すように、上記空間Ｓ３に、発泡樹脂材６３が均質に充填され本願第２発明にかかる断熱パネルＢを得ることができる。
【００４１】
上記断熱パネルＢは、発泡樹脂材６３が真空断熱材１の上面側と下面側に均質に充填されているため、優れた断熱性能を発揮するとともに、断熱パネルＢ全体の断面厚さ方向の中心平面に対して略完全に面対称に構成されている。そのため、保管、流通時等、上記断熱パネルＢの表裏両面に温度差のない場合においても、経時変化等で反りや変形等の発生することのない寸法安定性に優れた断熱パネルＢを得ることができる。
【００４２】
以上述べたように、本願第１、第２発明にかかる断熱パネルは、例えば、第１の表面材の表面を化粧シート等でさらに表面化粧して部屋の内装用断熱建材として用いることができる。あるいは、フローリング材として用いてもよい。このように本願発明は設計変更自在であり、特許請求の範囲を逸脱しない限り本願発明の技術的範囲に含まれる。
【符号の説明】
【００４３】
Ａ      本願第１発明にかかる断熱パネル
Ｂ      本願第２発明にかかる断熱パネル
Ｃ      公知の断熱パネル
ｔ      真空断熱材支持部の厚さ
Ｓ１    本願第１発明において発泡樹脂材で充填される真空断熱材上方の上部空間
Ｓ２    本願第１発明において発泡樹脂材で充填される真空断熱材下方の下部空間
Ｓ３    本願第２発明において発泡樹脂材で充填される空間
１      真空断熱材
２１    第１の表面材
２２    第２の表面材
３      仕切り板
４      突出支持部
４１    真空断熱材支持部
５      枠体
６１    第１発明において真空断熱材上方の空間に充填された発泡樹脂材
６２    第１発明において真空断熱材下方の空間に充填された発泡樹脂材
６３    第２発明において充填された発泡樹脂材
７      公知の断熱パネルにおいて用いられる真空断熱材
８      公知の断熱パネルにおいて用いられる断熱材
９１    公知の断熱パネルにおいて用いられる表面材
９２    公知の断熱パネルにおいて用いられる裏面材
【図１】
2013217093.tif 000003
【図２】
2013217093.tif 000004
【図３】
2013217093.tif 000005
【図４】
2013217093.tif 000006